(57)【要約】【課題】  圧入工法でステアリングシャフトをブラケットに圧入する際にブラケットの静止状態を容易に具現化でき、ステアリングシャフトが傾いてブラケットに連結される不具合をなくす。【解決手段】  基準面５ａに平行する端面にブラケット２における中央部を当接させる中央台部１１と、同じく基準面５ａに平行しながらそれぞれ同じ高さ位置となる端面にブラケット２における両側部２２をそれぞれ当接させる一対の両側台部１２と、この一対の両側台部１２における上記の端面にそれぞれ突設されてブラケット２の両側部２２に形成のフォーク連結部２３への分離可能な連繋を可能にするガイド部１３とを有してなる。【選択図】  図４
2007191115.tif 000002
【特許請求の範囲】
【請求項１】
基準面に平行する端面にブラケットにおける中央部を当接させる中央台部と、同じく基準面に平行しながらそれぞれ同じ高さ位置となる端面にブラケットにおける両側部をそれぞれ当接させる一対の両側台部と、この一対の両側台部における上記の端面にそれぞれ突設されてブラケットの両側部に形成のフォーク連結部への分離可能な連繋を可能にするガイド部とを有してなることを特徴とするブラケット保持台。
【請求項２】
中央台部および一対の両側台部が基準面を形成する一つの基盤に連設されてなる請求項１に記載のブラケット保持台。
【請求項３】
一対の両側台部における端面の基準面からの高さ位置が中央台部における端面の基準面からの高さ位置と同一に設定され、あるいは、中央台部における端面の基準面からの高さ位置より低く設定されてなる請求項１に記載のブラケット保持台。
【請求項４】
ブラケットが自動二輪車における前輪を下端部に保持するフロントフォークの上端側に連結されるアッパーブラケットと上下で平行する一対とされてアッパーブラケットの下方に位置決められるアンダーブラケットとされてなる請求項１に記載のブラケット保持台。
【請求項５】
ブラケットの両側部に形成のフォーク連結部がブラケットにおける両側部を肉厚方向に貫通する孔からなると共に、ガイド部がフォーク連結部たる孔に挿通される筒状に形成されながらこの孔に挿通される上端から両側台部における端面に連続する下端に向けて形成される複数本の割りを有してなり、孔へのガイド部の挿通時にガイド部が縮径可能とされてなる請求項１に記載のブラケット保持台。
【請求項６】
筒状に形成のガイド部の内側に出し入れ可能に収装されて上端位置がガイド部の上端位置と同一あるいはほぼ同一とされる充填体を有してなる請求項５に記載のブラケット保持台。
【発明の詳細な説明】
【技術分野】
【０００１】
この発明は、ブラケット保持台に関し、特に、左右で一対とされて二輪車の前輪側に架装されるフロントフォークを保持することになるブラケットにステアリングシャフトを圧入工法で連結する際に利用するブラケット保持台に関する。
【背景技術】
【０００２】
二輪車たる、たとえば、自転車の前輪側に架装される松葉型と称されるフロントフォークにあっては、下端部で前輪を保持する一対のフロントフォークの上端部を繋ぐブラケットの中央部にステアリングシャフトを固定状態に立設させていて、このステアリングシャフトを自転車の車体の前端を形成するヘッドパイプの内側に挿通させることで、この松葉型のフロントフォークにおける自転車の前輪側での車体に対する水平方向の揺動を可能にする、すなわち、自転車の前輪の転舵を可能にするとしている。
【０００３】
一方、同じ二輪車でも自動二輪車の前輪側に架装されるフロントフォークにあっては、たとえば、特許文献１に開示されているように、下端部で前輪を保持する一対のフロントフォークの上端側が上下で平行して一対となるアッパーブラケットとアンダーブラケットとで繋がれてなるとしている。
【０００４】
そして、アッパーブラケットとアンダーブラケットとの間に固定状態に配在されているステアリングシャフトを自動二輪車の車体の前端を形成するヘッドパイプの内側に挿通させるようにすることで、一対のフロントフォークが自動二輪車の前輪側で車体に対して水平方向に揺動可能にされる、すなわち、上記したように、自動二輪車の前輪の転舵を可能にされるとしている。
【０００５】
ところで、上記のステアリングシャフトは、ブラケットがその平面視形状を、たとえば、特許文献１に開示されているように山形とするとき、両側部ではなく中央部たる山部に固定状態に立設されるが、このステアリングシャフトの固定状態での立設は、上記の特許文献１では、冷し嵌め工法によるとしている。
【０００６】
そして、上記の特許文献１に開示されているところによれば、冷し嵌め工法でステアリングシャフトが固定状態に立設されるブラケットは、自動二輪車の前輪側にフロントフォークを架装する際に利用するアンダーブラケットであって、上方のアッパーブラケットに対してはステアリングシャフトの上端部がナットを利用した固定構造下に一体的に連結されるとしている。
【０００７】
それゆえ、特許文献１に開示されているところによれば、ステアリングシャフトがアンダーブラケットに傾くことなくいわゆる垂直に連結されて、アッパーブラケットとアンダーブラケットとの間における平行度が保障される限りには、このアッパーブラケットとアンダーブラケットとに左右で一対となるフロントフォークの上端側をいわゆる傾いた状態に連結させないことが可能になる。
【０００８】
ちなみに、左右で一対となるフロントフォークの上端側を連結させるアンダーブラケットにステアリングシャフトが傾いた状態で連結され、したがって、アッパーブラケットとアンダーブラケットとの間で平行度が保障されなくなるときには、左右で一対となるフロントフォークの下端側が上端側と芯間距離を異ならせるなどになり、前輪の車軸のフロントフォークにおける下端部への連結が不能になるなどの不具合が発現されることになる。
【特許文献１】実開昭５３‐１３４３６２号公報（明細書第４頁第７行から第１６行の記載および第１図参照）
【発明の開示】
【発明が解決しようとする課題】
【０００９】
しかしながら、上記した特許文献１に開示の提案にあっては、冷し嵌め工法によってステアリングシャフトをブラケットに傾くことなくいわゆる垂直に連結すること自体に不具合がある訳ではないが、冷し嵌め工法を実践する上で、些かの不具合があると指摘される可能性がある。
【００１０】
すなわち、冷し嵌め工法は、周知のように、ブラケットを熱してステアリングシャフトを嵌め込むための孔を拡径させる一方で、ステアリングシャフトを冷して嵌め込み部分の径を縮小させ、この状態下にステアリングシャフトをブラケットに嵌め込み、爾後に常温（約２０℃）に戻すことで両者を強固に連結するとする。
【００１１】
それゆえ、ステアリングシャフトに対する加熱設備とブラケットに対する冷却設備とが必要になるのはもちろんのこと、両者の温度管理も必須になり、全体として看るとき、冷し嵌め工法に多大の経費を要すことになる不具合があると言い得ることになる。
【００１２】
そこで、この冷し嵌め工法に代えて、ブラケットに開穿されている孔に常温下でステアリングシャフトを圧入して両者を固定状態に一体化する圧入工法が推奨されているのが実情である。
【００１３】
しかし、この圧入工法におけるステアリングシャフトの圧入時の荷重は、冷し嵌め工法におけるステアリングシャフトの嵌め込み時の荷重に比較して大きく倍増されることになる。
【００１４】
したがって、ステアリングシャフトをブラケットに圧入するときにブラケットが揺動などしてステアリングシャフトがいわゆる傾いてブラケットに連結されないようにするためには、ステアリングシャフトの圧入時にブラケットの静止状態が絶対的に保障される必要がある。
【００１５】
この発明は、上記した事情を鑑みて創案されたものであって、その目的とするところは、圧入工法でステアリングシャフトをブラケットに圧入する際にブラケットの静止状態を容易に具現化できるようにして、ステアリングシャフトがいわゆる傾いてブラケットに連結される不良品の発生をなくすことことで、その汎用性の向上を期待するのに最適となるブラケット保持台を提供することである。
【課題を解決するための手段】
【００１６】
上記した目的を達成するために、この発明によるブラケット保持台の構成を、基本的には、基準面に平行する端面にブラケットにおける中央部を当接させる中央台部と、同じく基準面に平行しながらそれぞれ同じ高さ位置となる端面にブラケットにおける両側部をそれぞれ当接させる一対の両側台部と、この一対の両側台部における上記の端面にそれぞれ突設されてブラケットの両側部に形成のフォーク連結部への分離可能な連繋を可能にするガイド部とを有してなるとする。
【発明の効果】
【００１７】
それゆえ、この発明にあっては、圧入工法でステアリングシャフトをブラケットに圧入する際に、ブラケット保持台がいわゆる三点支持の状態にブラケットを保持することになるから、ブラケットの静止状態を容易に具現化でき、冷し嵌め工法の場合の荷重に比較して大きく倍増される荷重でステアリングシャフトをブラケットに圧入するとしても、ブラケットが揺動などすることがなく、したがって、ステアリングシャフトがいわゆる傾いてブラケットに連結される不具合の招来を回避できることになる。
【発明を実施するための最良の形態】
【００１８】
以下に、図示した実施形態に基づいて、この発明を説明するが、この発明によるブラケット保持台１（図４参照）は、図１に示すブラケット２に、図２に示すように、ステアリングシャフト３を固定状態に連設する、すなわち、連結するために利用される。
【００１９】
ここで、図１に示すブラケット２について少し説明すると、まず、素材としては、伝統的な鉄材が選択されるほか、近年では、二輪車の前輪側におけるステアリング機構の軽量化を図る観点からアルミ材が選択される。
【００２０】
そして、このブラケット２が主に二輪車たる自転車の前輪側に架装される松葉型と称されるフロントフォーク向きとされる場合には、いわゆる一枚仕様のものに相当し、このブラケット２が自動二輪車の前輪側に架装されるフロントフォークＦ（図３参照）向きとされる場合には、上下で一対となる二枚仕様とされてアッパーブラケット４（図３参照）の下方に配在されるアンダーブラケットが相当することになる。
【００２１】
また、このブラケット２は、中央部にステアリングシャフト３の基端部を圧入させるシャフト圧入孔２１を有すると共に、図中で左右部となる両側部２２にそれぞれフォーク連結部２３を有してなるとしている。
【００２２】
シャフト圧入孔２１は、このシャフト圧入孔２１へのステアリングシャフト３の基端部の自然挿入を許容しない、すなわち、シャフト圧入孔２１に照準されたステアリングシャフト３の基端部を、たとえば、作業者が人力で押し進めるようにするだけでシャフト圧入孔２１に挿入されるような事態にならないように設定されている。
【００２３】
すなわち、この発明にあっては、ステアリングシャフト３を圧入工法でブラケット２に連結する際に利用するブラケット保持台１を提供するもので、この圧入工法によるところからすれば、シャフト圧入孔２１は、機械によって得られる荷重の作用下にのみステアリングシャフト３の基端部の圧入を許容するように設定されていることになる。
【００２４】
そして、フォーク連結部２３は、ブラケット２が上記した一枚仕様とされる場合には、多くの場合に、フロントフォークの上端を没入させる状態に連結させる凹部からなるとするが、この凹部に代えて、フロントフォークの上端部を貫通させる孔からなる、すなわち、ブラケット２の両側部２２を肉厚方向に貫通する孔からなるとしても良いことはもちろんである。
【００２５】
なお、一枚仕様のブラケット２にあって、フォーク連結部２３が凹部からなるときには、多くの場合に、凹部に没入されたフロントフォークの上端部がブラケット２に溶接されることで固定状態に連結されるとするが、このフォーク連結部２３が孔からなる場合であっても、フロントフォークの上端部がブラケット２に溶接されて固定状態に連結されるとしても良いことはもちろんである。
【００２６】
また、フォーク連結部２３は、ブラケット２が上記した二枚仕様とされるときのアンダーブラケットである場合には、フロントフォークＦの上端側を貫通させる孔からなるとしている。
【００２７】
そして、このフォーク連結部２３としての孔は、原理的には、固定孔とされて径が不変とされていても良いが、多くの場合に、たとえば、割り２３ａを有するなどして縮径可能に形成されてなるとするのが一般的であろう。
【００２８】
そしてまた、この割り２３ａを有するなどして縮径可能に形成される場合には、ボルトナットの利用下に、あるいは、ボルトの締め付けで縮径されるとし、縮径状態のときにフロントフォークＦの上端側を把持する状態に維持するとしている。
【００２９】
ちなみに、フロントフォークＦが大径のアウターチューブを下端側部材にすると共に小径のインナーチューブを上端側部材にする正立型に設定されている場合には、この小径のインナーチューブの上端側が貫通する径の孔からなるフォーク連結部２３がブラケット２における両側部２２開穿され、フロントフォークＦが小径のインナーチューブを下端側部材にすると共に大径のアウターチューブを上端側部材にする倒立型に設定されてなる場合には、この大径のアウターチューブの上端側が貫通する径の孔からなるフォーク連結部２３がブラケット２における両側部２２開穿されるのはもちろんである。
【００３０】
一方、ブラケット２の平面視形状については、図１に示すように、中央のシャフト圧入孔２１の中心と両側のフォーク連結部２３たる凹部あるいは孔の中心を結ぶ線がＶ字状を呈することになるように形成されるほか、逆Ｖ字状あるいは直線状を呈することになるように形成されてなるとしても良い。
【００３１】
ところで、図３に示すところは、自動二輪車における前輪Ｔに入力される路面振動を吸収する油圧緩衝器としてのフロントフォークＦが左右で一対とされながら上記したブラケット２たるアンダーブラケットとこのアンダーブラケットの上方に配在されるアッパーブラケット４との利用下に自動二輪車の前輪側に架装される状態を示している。
【００３２】
このとき、アッパーブラケット４は、アンダーブラケットに固定状態に連設されたステアリングシャフト３にナット３１の利用下に固定構造に連結されるのはもちろんのこと、アンダーブラケットに対して上下で平行するように配在されてなるとし、したがって、アッパーブラケット４とアンダーブラケットとに上端側が保持される左右で一対となるフロントフォークＦは、基本的には、下端側と上端側との芯間距離を同一にし得ることになり、したがって、下端部への前輪Ｔの連結を障害なく実現できることになるとしている。
【００３３】
つぎに、ステアリングシャフト３は、図２に示すように、図中で下端部となる基端部が上記したブラケット２の中央部に形成のシャフト圧入孔２１に圧入されるもので、このステアリングシャフト３の基端部とシャフト圧入孔２１との間における圧入代は、ブラケット２が、たとえば、アルミ材からなる場合に、たとえば、１００ミクロン程度とされるとしている。
【００３４】
それゆえ、このステアリングシャフト３をブラケット２のシャフト圧入孔２１に圧入するについては、シャフト圧入孔２１に図中で上端側となる先端側から挿通されたステアリングシャフト３の図中で下端となる基端に冶具を当接させる、すなわち、突き当てると共に、この状態からステアリングシャフト３の軸線方向に作用する冶具からの外力でステアリングシャフト３を押し進め、ステアリングシャフト３の基端部をシャフト圧入孔２１に強制的に挿入することで、両者間における強固な連結状態が、すなわち、固着状態が具現化されることになる。
【００３５】
そして、このとき、ステアリングシャフト３の基端がシャフト圧入孔２１から突出するとし（図４参照）、この突出した部分にストッパリング３２を介装することで、ステアリングシャフト３の基端部がシャフト圧入孔２１から図２中で上方に突き抜けるようにして脱落することを阻止するとしている。
【００３６】
ブラケット２およびステアリングシャフト３が以上のように形成されているとき、この発明によるブラケット保持台１は、図４に示すように、中央台部１１と、一対の両側台部１２と、ガイド部１３とを有してなる。
【００３７】
ちなみに、この図４に示すところでは、ブラケット２が前記したアッパーブラケット４と共に二枚仕様とされるときのアンダーブラケットとされており、ブラケット２が一枚仕様とされるときのものである場合については、要するときのみ説明する。
【００３８】
また、この図４に示すところは、ブラケット２がいわゆる天地を逆にした状態でブラケット保持台１に載置されている状態を示す、すなわち、圧入工法でステアリングシャフト３をブラケット２に連結するときの態勢を示すもので、したがって、ステアリングシャフト３は、図２に示すところと逆に、先端側を下方に向けるとしている。
【００３９】
以上の前提の下に、まず、このブラケット保持台１は、中央台部１１，一対の両側台部１２および後述するガイド部１３を有すること、そして、中央台部１１および一対の両側台部１２が後述する基盤５に保持されたり連設されたりすること、さらには、このブラケット保持台１が機能するころを勘案すると、すなわち、ステアリングシャフト３が圧入されるブラケット２を支えることからすれば、ステアリングシャフト３の圧入時の外力作用でいたずらに変形しない機械的強度を有するように、たとえば、鉄材などで形成されるのが常態であろう。
【００４０】
そして、このブラケット保持台１にあっては、図示するところでは、中央台部１１および一対の両側台部１２が基準面を形成する一つの基盤５に連設されてなるとし、この基盤５は、たとえば、固定状態に設置される作業台や組立ラインにおける移動するテーブルなどからなるとし、上記の基準面は、この基盤５における上端面５ａからなるとしている。
【００４１】
また、このブラケット保持台１にあって、この中央台部１１および一対の両側台部１２は、図示するところでは、下端が上記した基盤５の上端面５ａに隣接された状態下に、すなわち、当接された状態下に溶接されてなるとするが、この中央台部１１および一対の両側台部１２が基盤５の上端面５ａに固定状態に配在される限りには、任意の手法を選択できる。
【００４２】
たとえば、中央台部１１および一対の両側台部１２は、基盤５側からのボルトの捩じ込みで基盤５の上端面５ａに保持されるとしても良く、あるいは、下端側が基盤５の上端側に捩じ込まれることで基盤５に一体的に保持されるとしても良く、さらには、基盤５に一体に形成されてなるとしても良い。
【００４３】
以上からすれば、このブラケット保持台１において、中央台部１１はともかくとして、一対の両側台部１２が基盤５に分離可能に螺着されてなるとする場合には、ブラケット２が寸法をより大きくするものとされる場合に、一対の両側台部１２を相応する寸法のものに交換することで、このブラケット保持台１を転用することが可能になる利点がある。
【００４４】
そしてまた、このブラケット保持台１にあって、中央台部１１は、基準面たる基盤５の上端面５ａに平行する端面たる上端面にブラケット２における中央部を当接させる、すなわち、載置させるとし、一対の両側台部１２は、同じく上記の上端面５ａに平行しながらそれぞれ同じ高さ位置となる端面たる上端面にブラケット２における両側部２２をそれぞれ当接させる、すなわち、載置させるとしている。
【００４５】
このとき、図示するところでは、一対の両側台部１２における上端面の基準面からの高さ位置は、中央台部１１における上端面の基準面からの高さ位置と比較すると、わずかに、すなわち、たとえば、製作誤差として許容される寸法の範囲内で低くなるとしている。
【００４６】
このように、一対の両側台部１２の高さが中央台部１１の高さに比較して製作誤差とされる寸法の範囲内で低くなるように設定される場合には、このブラケット保持台１の製作にあって精緻な寸法管理が要求されなくなり、製品コストの低減を可能にし得る点で有利となる。
【００４７】
のみならず、一対の両側台部１２の高さが中央台部１１の高さより低くなるように設定される場合には、一対の両側台部１２の高さと中央台部１１の高さとが同一に設定される場合に招来されることになる製作誤差によるブラケット２の傾きを解消できることになる点で有利となる。
【００４８】
それゆえ、基本的には、ブラケット２にあって、このブラケット２が平坦面に平置きされるとき、シャフト圧入孔２１を有する中央部と、フォーク連結部２３を有する両側部２２のいわゆる高さを同一にするように形成されている場合に、このブラケット保持台１にあって、一対の両側台部１２の高さと中央台部１１の高さとを同一にするとき、ブラケット２における中央部が中央台部１１に載置されると共に、ブラケット２における両側部２２が一対の両側台部１２に載置されることで、ブラケット２がいわゆる三点支持されながら水平状態に維持されることになり、したがって、後述するように、このブラケット２にステアリングシャフト３を垂直に圧入する動作を容易にすることになる。
【００４９】
ちなみに、ブラケット保持台１において、中央台部１１の高さが一対の両側台部１２の高さよりも陥没するように低く形成される場合は、ステアリングシャフト３の圧入時にブラケット２を歪めることになる危惧があり、好ましい選択とは言い得ないであろう。
【００５０】
なお、ブラケット保持台１において、一対の両側台部１２の高さが中央台部１１の高さよりも上記した製作誤差以上に大きい寸法で低く形成される場合であっても、一対の両側台部１２が後述するガイド部１３を有する場合には、すなわち、ブラケット２における両側部２２に形成のフォーク連結部２３に軽圧入操作で連繋するガイド部１３を有する場合には、このガイド部１３における垂直度が一対の両側台部１２の上端面に対して確保される限りには、ブラケット２を平行状態に維持することが可能になり、爾後にこのブラケット２にステアリングシャフト３を垂直に圧入するについて不具合はないと言い得るであろう。
【００５１】
ところで、ブラケット保持台１において、基盤５の上端面５ａを基準面にするときの中央台部１１における高さと一対の両側台部１２における高さが同一とされ、あるいは、ほぼ同一とされる場合であっても、中央台部１１にブラケット２における中央部を載置させながら一対の両側台部１２にブラケット２における両側部２２を載置させるときには、このブラケット２と下方の基盤５との間に、たとえば、作業者の掌の抜き挿しを許容する隙間を出現させることが可能になるとするのが好ましい。
【００５２】
このように設定することで、このブラケット保持台１にあっては、ブラケット２が基盤５の上方に隙間を有して位置決められることになるから、作業者がブラケット２をこのブラケット保持台１にセットするときの作業性を良くすることになる。
【００５３】
すなわち、作業者が手を使ってブラケット２における中央部をブラケット保持台１における中央台部１１に載置させると共にブラケット２における両側部２２をブラケット保持台１における一対の両側台部１２に載置する際に、作業者の手が基盤５の上端面５ａなどの他部に接触することがなく、その作業性が良くされることになる。
【００５４】
のみならず、このブラケット保持台１にあっては、一対の両側台部１２がブラケット２における両側部２２に形成のフォーク連結部２３たる孔に嵌挿される後述のガイド部１３を有することからしても、ブラケット２が基盤５の上方に隙間を有して位置決められることで、作業者がブラケット２の下方に挿し込んだ手でブラケット２を一対の両側台部１２から、すなわち、このブラケット保持台１から抜き上げるようにして撤去することが可能になり、上記したところも含めて、作業者によるブラケット２の着脱操作を容易に実現し得ることになる。
【００５５】
一方、このブラケット保持台１における中央台部１１と一対の両側台部１２の機械的強度についてだが、図示するところでは、中央台部１１および一対の両側台部１２のいずれもが厚肉の筒状に形成されて必要となる機械的強度を具有するとしている。
【００５６】
すなわち、中央台部１１にあっては、ステアリングシャフト３の基端部をブラケット２のシャフト圧入孔２１に圧入するについて外力を作用することを鑑みると、この外力作用によっては容易に変形しない機械的強度を有することが肝要となる。
【００５７】
それに対して、一対の両側台部１２にあっては、外力作用でブラケット２のシャフト圧入孔２１にステアリングシャフト３の基端部を圧入する際にも、その際の外力が殆ど作用しないから、中央台部１１ほどの機械的強度を有することが要求されず、したがって、この一対の両側台部１２は、厚肉の筒状に形成されていなくても良いことになる。
【００５８】
のみならず、この発明では、一対の両側台部１２に連設される後述のガイド部１３が筒状に形成されることを鑑みると、この一対の両側台部１２自体をガイド部１３に連続するなどの筒状に形成する方が、この一対の両側台部１２をロッド状に形成する場合に比較して、ブラケット保持台１における全体重量の軽減化を可能にする点で有利となる。
【００５９】
ところで、ガイド部１３は、上記の一対の両側台部１２における端面たる上端面にそれぞれ筒状に形成されて突設されてなるとするもので、ブラケット２の両側部２２に形成のフォーク連結部２３たる孔への分離可能な連繋を、すなわち、フォーク連結部２３たる孔への抜き挿しを具現化できる連結を可能にするとしている。
【００６０】
ちなみに、フォーク連結部２３が凹部からなる場合には、この凹部に導入されることになるガイド部１３の突出高さは、すなわち、一対の両側台部１２における上端面からの突出する高さは、多くの場合に、上記の孔に挿通されるように形成される場合に比較して、低くなるように設定されるであろう。
【００６１】
また、このガイド部１３は、フォーク連結部２３たる孔あるいは凹部に対する抜き挿しを具現化できる限りには、任意の態様で一対の両側台部１２における上端面から突出するとして良い。
【００６２】
そして、図示するところにあって、このガイド部１３は、一対の両側台部１２の上端に一体に連設されてなるとしているが、これに代えて、下端が一対の両側台部１２の上端に突き当てるようにして隣接された状態下に溶接されてなるとしても良く、また、下端側が一対の両側台部１２の上端側に捩じ込まれることで一対の両側台部１２に一体的に保持されるとしても良い。
【００６３】
以上からすれば、このガイド部１３が一対の両側台部１２の上端側に分離可能に螺着されてなるとする場合には、ブラケット２に形成されるフォーク連結部２３の内径が異なることになる場合に、ガイド部１３を相応する寸法のものに交換することでこのブラケット保持台１を転用できることになる利点がある。
【００６４】
つぎに、このガイド部１３は、軽圧入操作することで、すなわち、作業者が体重を架けるほどにならない程度の力でブラケット２をブラケット保持台１に押し付けるようにすることで、ブラケット２におけるフォーク連結部２３たる凹部に導入され、あるいは、孔に挿通されることになる圧入代を有してなるとしている。
【００６５】
すなわち、このブラケット保持台１にあっては、ブラケット２を基準面に対して平行状態に維持する、すなわち、基準面が水平面からなるときにブラケット２を水平状態に保持することを主眼とするものであるから、上記のガイド部１３は、フォーク連結部２３に軽圧入操作されるなどで連繋されることは必ずしも必要ではなく、強いて言えば、ブラケット２にステアリングシャフト３を圧入する際にブラケット２が水平方向に回転しないようにすることが可能になれば足りると言い得ることになる。
【００６６】
そうだとすると、このガイド部１３は、図示するところでは、複数本の割り１３ａを有していて、すなわち、筒状に形成されながらフォーク連結部２３たる孔に挿通される上端から両側台部１２における端面たる上端面に連続する下端に向けて形成される複数本の割り１３ａを有していて、孔への挿通時にこのガイド部１３が縮径されるとしているが、この割り１３ａを有するなどで縮径可能とされることは、上記したところからして必ずしも必要でないと言い得ることになる。
【００６７】
一方、このガイド部１３にあって、割り１３ａを有することは、このブラケット保持台１に保持される、すなわち、載置されるブラケット２をいたずらにいわゆるがたつかせず、安定状態に維持することを容易に保障し得ることになる。
【００６８】
そうだとすると、この発明のブラケット保持台１にあって、ガイド部１３は、ブラケット２におけるフォーク連結部２３たる孔への連繋時に複数本の割り１３ａを有するがゆえに発現される縮径で、作業者の軽圧入操作による連繋を容易に実践し得ることになるが、その一方で、ステアリングシャフト３を連設した後のブラケット２をこのブラケット保持台１から撤去する作業が些か面倒になる危惧がある。
【００６９】
そこで、図示する実施形態にあっては、ガイド部１３は、これが筒状に形成されるとき、内側に円柱状の空部を有することになるが、この空部にガイド部１３の上端開口から抜き挿し可能に収装される充填体６を有してなるとしている。
【００７０】
ちなみに、図４において、充填体６は、図中の左側にあるガイド部１３内にのみ収容されていて、図中の右側にあるガイド部１３内には収容されないとしているが、これは、図示を省略するのみであって、実際には、両方のガイド部１３内に同じものが収容されるのはもちろんである。
【００７１】
ところで、この充填体６は、ガイド部１３の内側となる空部を埋める機能を果たす限りには、自由な態様に形成されて良いが、図示するところでは、合成樹脂材からなり、有頭円筒状に形成されてなるとしている。
【００７２】
この充填体６が合成樹脂材からなることで、部品としていわゆる安価になり、有頭円筒状に形成されることで、部品重量の軽量化を期待できることになる。
【００７３】
そして、この充填体６は、上記の空部に落とし込まれるようにして収装されるとき、その上端位置がガイド部１３の上端位置と同一あるいはほぼ同一になるとしている。
【００７４】
その結果、この充填体６がガイド部１３の内側に収容されたままであっても、ブラケット２のブラケット保持台１への載置作業やブラケット保持台１からの撤去作業の邪魔にならないことになる。
【００７５】
一方、この充填体６は、図示するところでは、上端の中央部が浅い湾曲凹部６ａからなるとしており、この湾曲凹部６ａへの作業者の指、特に、親指の先端部の当接を許容するとしている。
【００７６】
それゆえ、この充填体６にあっては、ブラケット保持台１からのブラケット２の撤去作業を容易にする、すなわち、作業者の手の親指を除く４本の指をブラケット２のいわゆる裏面に当てた状態で親指の先端部の腹を上記の湾曲凹部６ａに押し付けるようにし、この状態から、親指を支点にするようにして４本の指でブラケット２を持上げるようにすれば、ブラケット２がブラケット保持台１から容易に撤去されることになる。
【００７７】
以上からすると、上記の充填体６にあって、上端の湾曲凹部６ａは、これが形成されていなくても利用可能になるとも言い得るが、上記の湾曲凹部６ａがない場合には、支点になる親指が充填体６の上端で滑ることになる危惧があり、この観点からすれば、上記の湾曲凹部６ａあるいはこれに代わるものが形成されているが肝要になる。
【００７８】
前記したところでは、この発明によるブラケット保持台１を一体的に連設させる基盤５が固定状態に設置されている作業台や組立ラインにおける移動するテーブルなどにおける上端面たる水平面からなるとしているが、この発明が意図するところからすれば、ブラケット２が揺動し得ない固定状態に維持される限りには、上記の基盤５が固定状態や可動状態に形成の壁面たるいわゆる垂直面や傾斜面からなるとしても良いことはもちろんである。
【００７９】
そして、前記したところでは、ブラケット保持台１におけるガイド部１３が充填体６を有してなるとしているが、この充填体６が機能するところからすれば、これがガイド部１３と別体に形成されていることが必須とされるのではなく、凡そいわゆる指当てとして機能する限りには、ガイド部１３がロッド状に形成されていて、中央部分が充填体６に代わるとしても良いこともちろんである。
【図面の簡単な説明】
【００８０】
【図１】ステアリングシャフトが立設される前のブラケットたるアンダーブラケットを示す平面図である。
【図２】アンダーブラケットにステアリングシャフトが立設されている状態を示す正面図である。
【図３】一対となるフロントフォークの上端側にステアリングシャフトを有するアッパーブラケットとアンダーブラケットが連結されている状態を示す正面図である。
【図４】この発明によるブラケット保持台にアンダーブラケットが保持されている状態を図１中のX‐X線位置で示す縦断面図である。
【符号の説明】
【００８１】
１  ブラケット保持台
２  ブラケット
３  ステアリングシャフト
４  アッパーブラケット
５  基盤
５ａ  基準面たる上端面
６  充填体
１１  中央台部
１２  両側台部
１３  ガイド部
２１  シャフト圧入孔
２２  両側部
２３  フォーク連結部
【図１】
2007191115.tif 000003
【図２】
2007191115.tif 000004
【図３】
2007191115.tif 000005
【図４】
2007191115.tif 000006